(57)【特許請求の範囲】
【請求項１】
ＬＥＤモジュールと、該ＬＥＤモジュールを覆うカバーと、該カバーで反射した前記ＬＥＤモジュールの光を該カバーの方へ反射させる反射面を前記ＬＥＤモジュールの周りに配した反射部材とを備える照明装置において、
前記反射部材は、
前記ＬＥＤモジュールに当接する前記反射面の接平面が、該ＬＥＤモジュールの発光面に対して傾斜角を有し、
さらに、前記反射面の接平面が、前記ＬＥＤモジュールからの寸法が短いほど前記ＬＥＤモジュールの発光面に対して大きい傾斜角を有することを特徴とする照明装置。
【請求項２】
前記反射部材は、
前記ＬＥＤモジュールからの寸法が所定長より長い箇所の前記反射面を前記発光面と平行にしてあることを特徴とする請求項１に記載の照明装置。
【請求項３】
前記反射部材は、
前記反射面を、前記ＬＥＤモジュールからの寸法に応じて前記傾斜角が徐々に変化するように湾曲してあることを特徴とする請求項１又は請求項２に記載の照明装置。
【請求項４】
前記ＬＥＤモジュール及び反射部材を装着する装着部を備え、
該装着部は、
前記ＬＥＤモジュールが装着される装着面の高さを前記反射部材が装着される装着面より高くしてあることを特徴とする請求項１から請求項３までのいずれか１項に記載の照明装置。
【請求項５】
前記カバーは、
半球状又は半円筒状をなし、中央部が前記発光面に対向するようにしてあることを特徴とする請求項１から請求項４までのいずれか１項に記載の照明装置。
【発明の詳細な説明】
【技術分野】
【０００１】
本発明は、発光面を有する光源と、光源を覆うカバーと、カバーで反射した光源の光をカバーの方へ反射させる反射面を光源の周りに配した反射部材とを備える照明装置に関する。
【背景技術】
【０００２】
近年、発光ダイオード（ＬＥＤ）の高輝度化に伴い、白熱電球や蛍光灯などの光源に代えて、低消費電力、長寿命等の特性を有するＬＥＤが光源として照明装置などに用いられるようになりつつある。
【０００３】
例えば、基板に実装された発光ダイオードと、発光ダイオードを点灯させる点灯装置と、点灯装置が収容され一方側に口金を装着し、他方側に基板を取り付けているカバーと、発光ダイオードを覆うようにカバーの他方側に取り付けられた透光性のグローブと、グローブの外表面の略全域に被着され、端縁部がカバーとグローブ端部との間で挟持された拡散シートとを備えたＬＥＤ電球が開示されている（特許文献１参照）。
【０００４】
このようなＬＥＤ電球にあっては、発光ダイオードから放射された光は、グローブに入射し拡散シートにより拡散される。この光拡散により、グローブの外表面の略全域が明るくなり、グローブで略均一な輝度が得られる。
【先行技術文献】
【特許文献】
【０００５】
【特許文献１】特開２００８−９１１４０号公報
【発明の概要】
【発明が解決しようとする課題】
【０００６】
しかし、特許文献１のＬＥＤ電球にあっては、グローブの外表面の略全域が明るくなり、グローブで略均一な輝度が得られるものの、発光ダイオード（ＬＥＤ）から発せられる光は、例えば、発光面に対して垂直方向（光軸方向とも称する）が最も強く、光軸方向に強い指向性を有する。このため、従来の白熱電球と比較すると、発光面に略平行な横方向の光量が少ないという課題があった。
【０００７】
本発明は斯かる事情に鑑みてなされたものであり、発光面に略平行な横方向の光量を多くすることができる照明装置を提供することを目的とする。
【課題を解決するための手段】
【０００８】
本発明に係る照明装置は、ＬＥＤモジュールと、該ＬＥＤモジュールを覆うカバーと、該カバーで反射した前記ＬＥＤモジュールの光を該カバーの方へ反射させる反射面を前記ＬＥＤモジュールの周りに配した反射部材とを備える照明装置において、前記反射部材は、前記ＬＥＤモジュールに当接する前記反射面の接平面が、該ＬＥＤモジュールの発光面に対して傾斜角を有し、さらに、前記反射面の接平面が、前記ＬＥＤモジュールからの寸法が短いほど前記ＬＥＤモジュールの発光面に対して大きい傾斜角を有することを特徴とする。
【０００９】
本発明にあっては、カバーで反射した光源の光をカバーの方へ反射させる反射面を光源の周りに配した反射部材を備え、当該反射部材は、反射面の接平面が、光源からの寸法が短いほど光源の発光面に対して大きい傾斜角αを有する。傾斜角αは、例えば、光源の発光面と反射面の接平面とのなす角度であり、発光面と反射面とが平行である場合、傾斜角αは０である。なお、反射面（接平面）の傾斜角は、光源からの寸法に応じて連続的に変化させるようにしてもよく、段階的（離散的）に変化させるようにしてもよい。光源の発光面から発せられた光の一部は、カバーを透過せずにカバーの内側で反射して反射部材の方へ進む。光源から発せられる光が、発光面と垂直な方向（光軸方向とも称する）に強い指向性を有する場合、光源からの寸法が長い位置にある反射面よりも光源からの寸法が短い位置にある反射面に入射する光ほど強い。そこで、光源からの寸法が短いほど光源の発光面に対して大きい傾斜角α（例えば、４５度、３０度など）の反射面（接平面）で光を反射させることにより、反射面で反射した光の方向を、発光面と平行な方向に近づけることができ、反射面で反射させて光をカバーの横方向から放出させることができ、発光面に略平行な横方向の光量を多くすることができる。
【００１０】
本発明に係る照明装置は、前記反射部材は、前記ＬＥＤモジュールからの寸法が所定長より長い箇所の前記反射面を前記発光面と平行にしてあることを特徴とする。
【００１１】
本発明にあっては、反射部材は、光源からの寸法が所定長より長い箇所の反射面を発光面と平行にしてある。所定長は、例えば、反射部材の光源と当接又は近接する箇所の厚み（高さ）寸法と同等もしくはそれ以上の寸法とすることができる。すなわち、光源からの寸法が大きい部分での反射面の傾斜角αを０（発光面と平行）にしてある。これにより、発光面に垂直な方向（光軸方向）へ反射する光の量の減少を抑制することができる。
【００１２】
本発明に係る照明装置は、前記反射部材は、前記反射面を、前記ＬＥＤモジュールからの寸法に応じて前記傾斜角が徐々に変化するように湾曲してあることを特徴とする。
【００１３】
本発明にあっては、反射部材は、反射面を、光源からの寸法に応じて傾斜角が徐々に変化するように湾曲してある。例えば、湾曲させた反射面の断面視の曲線が、放物線状のような二次曲線をなすように構成することができる。これにより、反射面で反射する光の反射方向を徐々に変化させることができるので、強い反射光ほど反射する方向を横方向に近づけ、弱い反射光ほど反射する方向を発光面に垂直な方向（光軸方向）に近づけることにより、発光面に垂直な方向（光軸方向）へ反射する光の量の減少を抑制することができる。
【００１４】
本発明に係る照明装置は、前記ＬＥＤモジュール及び反射部材を装着する装着部を備え、該装着部は、前記ＬＥＤモジュールが装着される装着面の高さを前記反射部材が装着される装着面より高くしてあることを特徴とする。
【００１５】
本発明にあっては、光源部及び反射部材を装着する装着部を備え、当該装着部は、光源が装着される装着面の高さを反射部材が装着される装着面より高くしてある。なお、光源を装着する装着部と反射部材を装着する装着部とは、一体でも別体でもよい。また、装着部は、光源の熱を放熱するヒートシンク等と一体であってもよい。これにより、光源の発光面の高さ（例えば、装着部表面からの高さ）を高くすることができ、光源の発光面の周囲にある反射部材の反射面の高さ（例えば、装着部表面からの高さ）も高くすることができるので、光源の近傍（光源からの寸法が短い部分）の反射面の傾斜角αを大きくすることができ、反射面で反射する光の方向を横方向に近づけることが可能となる。
【００１６】
本発明に係る照明装置は、前記カバーは、半球状又は半円筒状をなし、中央部が前記発光面に対向するようにしてあることを特徴とする。
【００１７】
本発明にあっては、カバーは、半球状又は半円筒状をなし、中央部が発光面に対向するようにしてある。カバーが半球状又は半円筒状をなし、カバーの中央部が発光面に対向させてあるので、発光面と垂直な方向（光軸方向とも称する）及び略光軸方向に発せられた光の一部は、カバーの中央部の内側面で反射して、光源からの寸法が短い位置にある反射面に入射する。これにより、カバーで反射された特に強い光を反射面で横方向に反射させることができ、カバーの横方向（発光面に略平行な横方向）から放射される光の量を多くすることができる。
【発明の効果】
【００１８】
本発明によれば、発光面に略平行な横方向の光量を多くすることができる。
【図面の簡単な説明】
【００１９】
【図１】実施の形態１の照明装置の要部分解斜視図である。
【図２】実施の形態１の照明装置の縦断面図である。
【図３】ＬＥＤモジュールの近傍の構成の一例を示す要部模式図である。
【図４】比較例として反射部材による反射光の方向の一例を示す模式図である。
【図５】実施の形態１の照明装置の反射部材による反射光の方向の一例を示す模式図である。
【図６】ＬＥＤモジュールの近傍の構成の他の例を示す要部模式図である。
【図７】実施の形態２の照明装置の縦断面図である。
【発明を実施するための形態】
【００２０】
（実施の形態１）
以下、本発明をその実施の形態を示す図面に基づいて説明する。図１は実施の形態１の照明装置１００の要部分解斜視図であり、図２は実施の形態１の照明装置１００の縦断面図である。照明装置１００は、例えば、４０Ｗ、６０Ｗなどの電球型をなす。なお、照明装置は、電球型に限定されるものではない。
【００２１】
図１に示すように、照明装置１００は、外部のソケットに嵌めて商用電源に電気的に接続するための口金１２、照明装置１００で発生する熱を放熱するため中空（筒状）の金属製のヒートシンク５０、口金１２とヒートシンク５０とを連結するとともに両者を電気的に絶縁する円筒状の絶縁部材１１、絶縁部材１１の内側に嵌装される環状部材１０、ヒートシンク５０の内側に配置されるとともにＬＥＤモジュール３に所要の電力を供給する電源モジュール８、電源モジュール８の電源部がヒートシンク５０に触れることを防止する絶縁カバー９、電源モジュール８を取り付けるための取り付け部材６、光源としてのＬＥＤモジュール３を装着する装着部としてのＬＥＤプレート４、ＬＥＤプレート４を絶縁する絶縁シート５、反射部材２、ＬＥＤモジュール３と電源モジュール８とを電気的に接続するハーネス（不図示）、電源モジュール８と口金１２とを電気的に接続するハーネス（不図示）、ヒートシンク５０に装着されるとともにＬＥＤモジュール３を覆うカバー３０、カバー３０の被接続部３３とヒートシンク５０の接続部５１との間に配置される緩和部材としてのリング１などを備える。
【００２２】
なお、装着部としてのＬＥＤプレート４は、ＬＥＤモジュール３を装着する部分と、反射部材２を装着する部分とが一体をなす構成（図１の例）でもよく、あるいは別体をなす構成でもよい。また、ＬＥＤプレート４は、ヒートシンク５０と一体であってもよい。
【００２３】
ヒートシンク５０は、例えば、アルミニウム又はアルミニウム合金などの熱伝導性に優れた金属製であって中空の略半球状をなす。ヒートシンク５０の一端側には口金１２を取り付けてある。他端側には、枠状に設けられた接続部５１を有し、接続部５１で囲まれる開口部を有する。ＬＥＤプレート４は、ヒートシンク５０の接続部５１に取り付けられる。なお、ヒートシンク５０の材料はアルミニウムに限定されるものではなく、熱伝導性に優れた金属であれば、他の金属を用いることもできるが、アルミニウムを用いることにより、軽量化を図ることができる。
【００２４】
カバー３０は、例えば、ガラス製であって、透光性を有する。ガラス製のカバー３０を用いることにより、合成樹脂製のカバーに比べて発熱による色の変色を抑制することができるのみならず、照明装置１００に高級感を持たせることができ、外観デザイン上優れた面を有する。なお、カバー３０はガラス製に限らず、ガラスと異なる熱膨張係数を有する材料製であってもよく、例えばアクリルやポリカーボネート等の合成樹脂製であってもよい。
【００２５】
ＬＥＤモジュール３は、例えば、矩形状をなし、厚み（高さ寸法）は、例えば、１ｍｍ程度である。ＬＥＤモジュール３は、発光面３１を有し、発光面３１は、内部にＬＥＤチップを有し、ＬＥＤチップを蛍光体で覆っている（いずれも不図示）。本実施の形態では、光源としてのＬＥＤモジュール３は、装着部としてのＬＥＤプレート４の中央部に１個装着されてあるが、光源の数量は１個に限定されず、２個以上の複数であってもよい。
【００２６】
ＬＥＤプレート４は、例えば、アルミニウム又はアルミニウム合金などの熱伝導性に優れた金属製であって、平面視が円形状をなす。ＬＥＤプレート４は、中央部にＬＥＤモジュール３と略同寸法の矩形状であって周囲の面に対して凸状の段差をなす凸部４１を形成してある。凸部４１の上面は、ＬＥＤモジュール３を装着する装着面に対応する部分である。また、凸部４１の周囲の面は、反射部材２を装着する装着面である。
【００２７】
反射部材２は、例えば、反射率の高い合成樹脂製であって、平面視が円形状をなす。反射部材２は、中央部にＬＥＤモジュール３を配置することができる程度の寸法を有する矩形状の開口部２１を設けてある。また、反射部材２の表面は反射面２２をなす。なお、反射部材２全体を反射率の高い合成樹脂製とする構成に代えて、反射部材２の表面に反射率の高い反射シート、反射膜などを貼付又は塗布する構成とすることもできる。反射部材２の詳細は後述する。
【００２８】
図２に示すように、カバー３０は、半球状をなし、中央部３２をＬＥＤモジュール３の発光面３１に対向するようにしてある。
【００２９】
ＬＥＤプレート４の中央部に設けた凸部４１には、ＬＥＤモジュール３を装着してある。すなわち、ＬＥＤプレート４は、ＬＥＤモジュール３が装着される装着面の高さを反射部材２が装着される装着面より高くしてある。これにより、ＬＥＤモジュール３の発光面３１の高さ（例えば、ＬＥＤプレート４の表面又は底面からの高さ）を高くすることができる。
【００３０】
ＬＥＤモジュール３の周りには、カバー３０の内側面で反射したＬＥＤモジュール３の光を、再びカバー３０の方へ反射させるための反射面２２（反射部材２）を配置してある。反射部材２は、反射面２２の接平面が、ＬＥＤモジュール３からの離隔寸法（寸法、距離）が短いほどＬＥＤモジュール３の発光面３１に対して大きい傾斜角αを有するように構成してある。傾斜角αは、例えば、発光面３１と反射部材２の反射面２２の図３の点線で示す接平面とのなす角度であり、発光面３１と反射面２２とが平行である場合、傾斜角αは０である。
【００３１】
図３はＬＥＤモジュール３の近傍の構成の一例を示す要部模式図である。なお、図３の例では、ＬＥＤモジュール３の発光面３１を平坦な面で表現しているが、実際には、蛍光体等を設けてあるので発光面３１は厳密には平坦な面ではないが、便宜上、ＬＥＤモジュール３の上側表面を発光面３１とする。
【００３２】
図３に示すように、反射部材２は、反射面２２の接平面を、ＬＥＤモジュール３からの離隔寸法が短いほど、ＬＥＤモジュール３の発光面３１に対して大きい傾斜角αで傾斜させてある。傾斜角αは、例えば、発光面３１と反射部材２の反射面２２の接平面とのなす角度である。図３に示すように、傾斜角αは、ＬＥＤモジュール３に近いほど大きく、ＬＥＤモジュール３に当接又は近接する部分での傾斜角は、例えば、約４５度（なお、４５度に限定されない）であり、ＬＥＤモジュール３から離れるに応じて、傾斜角αは徐々に小さくなる。なお、反射面２２の傾斜角αは、図３に示すように、ＬＥＤモジュール３からの離隔寸法に応じて連続的に変化させるようにしてもよく、あるいは段階的（離散的）に変化させるようにしてもよい。
【００３３】
また、反射部材２は、反射面２２を、ＬＥＤモジュール３からの離隔寸法に応じて傾斜角αが徐々に変化するように湾曲してある。例えば、湾曲させた反射面２２の断面視の曲線が、図３に示すように、放物線状のような二次曲線をなすように構成することができる。
【００３４】
また、反射部材２は、ＬＥＤモジュール３からの寸法が所定長より長い箇所の反射面２２を発光面３１と平行にしてある。所定長は、例えば、反射部材２のＬＥＤモジュール３と当接又は近接する箇所の厚み（高さ）寸法と同等もしくはそれ以上の寸法とすることができる。すなわち、ＬＥＤモジュール３からの寸法が大きい部分（反射部材２のＬＥＤモジュール３と反対側の縁部）での反射面２２（平坦面２３）の傾斜角αを０（発光面３１と平行）にしてある。また、所定長を反射部材２のＬＥＤモジュール３と当接又は近接する箇所の厚み（高さ）寸法と同等もしくはそれ以上の寸法とすることにより、発光面３１に対して傾斜させた反射面２２の領域を大きくすることができ、反射面２２で反射する光の多くを発光面３１に対して水平な方向に導くことができる。なお、所定長を短くすることで、傾斜角αをより大きくすることができる。
【００３５】
次に、反射部材２による反射光の反射方向について説明する。図４は比較例として反射部材７０による反射光の方向の一例を示す模式図であり、図５は実施の形態１の照明装置１００の反射部材２による反射光の方向の一例を示す模式図である。
【００３６】
図４に示すように、比較例としての反射部材７０は、ＬＥＤモジュール３の発光面３１と平行な平坦な反射面７１を有する。ＬＥＤモジュール３から発せられた光の一部は、カバー３０の中央部３２の内側面で反射される。カバー３０で反射された光は、反射部材７０へ入射する。そして、反射部材７０のＬＥＤモジュール３からの離隔寸法が短い箇所での反射面７１が発光面３１と平行（傾斜角αが０）であるため、反射面７１で反射した光は、発光面３１とほぼ垂直な方向（図４の符号Ａで示す方向）へ反射される。このため、図４で例示する反射部材７０を具備する照明装置の場合、カバーの横方向への光の量を多くすることができない。
【００３７】
本実施の形態では、図５に示すように、反射部材２は、反射面２２の接平面を、ＬＥＤモジュール３からの離隔寸法が短いほど、発光面３１に対して大きい傾斜角αで傾斜させてある。傾斜角αは、前述のとおり、発光面３１と反射部材２の反射面２２の接平面とのなす角度であり、発光面３１と反射面２２とが平行である場合、傾斜角αは０である。
【００３８】
ＬＥＤモジュール３の発光面３１から発せられた光の一部は、カバー３０を透過せずにカバー３０の内側で反射して反射部材２の方へ進む。特に、ＬＥＤモジュール３のように、発光面３１から発せられる光が、発光面３１と垂直な方向（光軸方向とも称する）に強い指向性を有する場合、ＬＥＤモジュール３からの離隔寸法が長い位置にある反射面２２に入射する光よりもＬＥＤモジュール３からの離隔寸法が短い位置にある反射面２２に入射する光ほど輝度が高い。そこで、ＬＥＤモジュール３からの寸法が短い（ＬＥＤモジュール３に近い）ほど、発光面３１に対して大きい傾斜角α（例えば、４５度、３０度など）の反射面２２で光を反射させる。これにより、反射面２２で反射した光の方向を、発光面３１と平行な方向（図５の符号Ｂで示す方向）に近づけることができ、反射面２２で反射させて光をカバー３０の横方向から放出させることができ、発光面３１に略平行な横方向の光量を多くすることができる。
【００３９】
また、図３、図５に示すように、反射部材２は、反射面２２を、ＬＥＤモジュール３からの離隔寸法に応じて傾斜角αが徐々に変化するように湾曲してある。例えば、湾曲させた反射面２２の断面視の曲線が、放物線状のような二次曲線をなすように構成することができる。これにより、反射面２２で反射する光の反射方向を徐々に変化させることができるので、強い反射光ほど反射する方向を横方向に近づけ、弱い反射光ほど反射する方向を発光面３１に垂直な方向（光軸方向）に近づけることにより、発光面３１に垂直な方向（光軸方向）へ反射する光の量の減少を抑制することができる。
【００４０】
また、図３、図５に示すように、反射部材２は、ＬＥＤモジュール３と反対側の縁部の反射面２２を平坦にしてある。すなわち、ＬＥＤモジュール３からの離隔寸法が大きい部分（反射部材２のＬＥＤモジュール３と反対側の縁部）での反射面２２の傾斜角αを０（発光面３１と平行）にしてある。これにより、発光面３１に垂直な方向（光軸方向）へ反射する光の量の減少を抑制することができる。
【００４１】
また、反射面２２は、ＬＥＤモジュール３と反対側の縁部とＬＥＤモジュール３との間の位置から発光面３１に対して傾斜し始め、ＬＥＤモジュール３に近づくに従って傾斜角αが大きくなる。つまり、ＬＥＤモジュール３から離隔寸法が大きい部分での反射面２２の傾斜角αを０度にしてあることで、ＬＥＤモジュール３と反対側の縁部（反射部材２の外縁）から反射面２２が発光面３１に対して傾斜し始めるように形成する構成に比較して、傾斜角αを大きくすることができる。これにより、傾斜させた反射面２２に入射した光をより横方向へ近づくように反射させることが可能となる。
【００４２】
なお、本発明においては、ＬＥＤモジュール３から離隔寸法が大きい部分での反射面２２の傾斜角αを０度にする構成に限定されず、ＬＥＤモジュール３と反対側の縁部から反射面２２が発光面３１に対して傾斜し始める構成、すなわち反射面２２のカバー３０側の全面を発光面３１に対して傾斜させてある構成であってもよい。
【００４３】
また、ＬＥＤプレート４は、ＬＥＤモジュール３を装着する部分に凸状の段差をなす凸部４１を設けてある。これにより、ＬＥＤモジュール３の発光面３１の高さ（例えば、ＬＥＤプレート４の表面又は裏面からの高さ）を高くすることができる。そして、発光面３１の周囲にある反射部材２の反射面２２の高さ（例えば、ＬＥＤプレート４の表面又は裏面からの高さ）も同様に高くすることができるので、ＬＥＤモジュール３の近傍（ＬＥＤモジュール３からの離隔寸法が短い部分）の反射面２２の傾斜角αを大きくすることができ、反射面２２で反射する光の方向を横方向に近づけることが可能となる。
【００４４】
また、カバー３０は、半球状をなし、中央部３２が発光面３１に対向するようにしてある。カバー３０が半球状をなし、カバー３０の中央部３２が発光面３１に対向させてあるので、発光面３１と垂直な方向（光軸方向とも称する）及び略光軸方向に発せられた光の一部は、カバー３０の中央部３２の内側面で反射して、ＬＥＤモジュール３からの離隔寸法が短い位置にある反射面２２に入射する。これにより、カバー３０で反射された特に強い光を反射面２２で横方向に反射させることができ、カバー３０の横方向（発光面３１に略平行な横方向）から放射される光の量を多くすることができる。
【００４５】
前述の図３の例では、反射部材２の反射面２２（接平面）の傾斜角αを、ＬＥＤモジュール３からの離隔寸法に応じて徐々に変化させる構成であったが、これに限定されるものではない。
【００４６】
図６はＬＥＤモジュール３の近傍の構成の他の例を示す要部模式図である。図６に示すように、反射部材２は、反射面２４を、ＬＥＤモジュール３からの寸法が短いほど、ＬＥＤモジュール３の発光面３１に対して大きい傾斜角で傾斜させてある。図６の例では、図３の場合と異なり、反射面２４の傾斜角αは、ＬＥＤモジュール３からの離隔寸法に応じて、段階的（離散的）に変化させてある。
【００４７】
図６に示すように、ＬＥＤモジュール３に近い箇所では、反射面２４の傾斜角をα１（例えば、約４５度など）とし、ＬＥＤモジュール３からやや離れた箇所では、反射面２４の傾斜角をα２（例えば、約３０度など）とし、ＬＥＤモジュール３からさらに離れた、反射部材２の縁部では、反射面２４の傾斜角を０（平坦）としている。
【００４８】
図６に例示する構成であっても、反射面２４で反射した光の方向を、発光面３１と平行な方向（図５の符号Ｂで示す方向）に近づけることができ、反射面２４で反射させて光をカバー３０の横方向から放出させることができ、発光面３１に略平行な横方向の光量を多くすることができる。
【００４９】
（実施の形態２）
実施の形態１では、照明装置の一例として、いわゆる電球型の照明装置１００について説明したが、照明装置は電球型に限定されるものではない。以下では、他の形態として、いわゆる蛍光灯の如く直管型の照明装置について説明する。
【００５０】
図７は実施の形態２の照明装置２００の縦断面図である。照明装置２００は、例えば、２０Ｗ、４０Ｗ、１００Ｗなどの蛍光灯型（直管型）の照明装置であり、略円筒状をなし、両端に照明器具のソケットに接続する口金を具備するものである。
【００５１】
図７に示すように、照明装置２００は、外形が円筒状のカバー２３０を備え、カバー２３０の両端には口金（不図示）を取り付けてある。カバー２３０の内部には、カバー２３０の長手方向に沿って複数配置されたＬＥＤモジュール２０３、ＬＥＤモジュール２０３を装着する装着板としてのＬＥＤプレート２０４、反射部材２０２、ＬＥＤモジュール２０３に所要の電力を供給する電源モジュール２０８、ＬＥＤプレート２０４及び電源モジュール２０８を取り付ける取り付け部材２０６、ＬＥＤモジュール２０３と電源モジュール２０８とを電気的に接続するハーネス（不図示）などを備える。また、カバー２３０の内側には、ＬＥＤプレート２０４を固定するための溝部２０１を設けてある。
【００５２】
ＬＥＤプレート２０４の中央部に設けた、周囲の面に対して凸状の段差をなす凸部２４１には、ＬＥＤモジュール２０３を装着してある。これにより、ＬＥＤモジュール２０３の発光面２３１の高さ（例えば、ＬＥＤプレート２０４の表面又は底面からの高さ）を高くすることができる。
【００５３】
ＬＥＤモジュール２０３の周りには、カバー２３０の内側面で反射したＬＥＤモジュール２０３の光を、再びカバー２３０の方へ反射させるための反射面２２２（反射部材２０２）を配置してある。反射部材２０２は、反射面２２２の接平面を、ＬＥＤモジュール２０３からの離隔寸法（寸法、距離）が短いほどＬＥＤモジュール２０３の発光面２３１に対して大きい傾斜角αで傾斜させてある。傾斜角αは、例えば、発光面２３１と反射部材２０２の反射面２２２の接平面とのなす角度であり、発光面２３１と反射面２２２とが平行である場合、傾斜角αは０である。
【００５４】
これにより、反射面２２２で反射した光の方向を、発光面２３１と平行な方向に近づけることができ、反射面２２２で反射させて光をカバー２３０の横方向から放出させることができ、発光面２３１に略平行な横方向の光量を多くすることができる。
【００５５】
また、図７に示すように、反射部材２０２は、反射面２２２をＬＥＤモジュール２０３からの離隔寸法に応じて傾斜角αが徐々に変化するように湾曲してある。例えば、湾曲させた反射面２２２の断面視の曲線が、放物線状のような二次曲線をなすように構成することができる。これにより、反射面２２２で反射する光の反射方向を徐々に変化させることができるので、強い反射光ほど反射する方向を横方向に近づけ、弱い反射光ほど反射する方向を発光面２３１に垂直な方向（光軸方向）に近づけることにより、発光面２３１に垂直な方向（光軸方向）へ反射する光の量の減少を抑制することができる。
【００５６】
また、反射部材２０２は、ＬＥＤモジュール２０３と反対側の縁部の反射面２２２を平坦にしてある。すなわち、ＬＥＤモジュール２０３からの離隔寸法が大きい部分（反射部材２０２のＬＥＤモジュール２０３と反対側の縁部）での反射面２２２の傾斜角αを０（発光面２３１と平行）にしてある。これにより、発光面２３１に垂直な方向（光軸方向）へ反射する光の量の減少を抑制することができる。
【００５７】
また、ＬＥＤプレート２０４は、ＬＥＤモジュール２０３を装着する部分に凸状の段差をなす凸部２４１を設けてある。これにより、ＬＥＤモジュール２０３の発光面２３１の高さ（例えば、ＬＥＤプレート２０４の表面又は裏面からの高さ）を高くすることができる。そして、発光面２３１の周囲にある反射部材２０２の反射面２２２の高さ（例えば、ＬＥＤプレート２０４の表面又は裏面からの高さ）も同様に高くすることができるので、ＬＥＤモジュール２０３の近傍（ＬＥＤモジュール２０３からの離隔寸法が短い部分）の反射面２２２の傾斜角αを大きくすることができ、反射面２２２で反射する光の方向を横方向に近づけることが可能となる。
【００５８】
また、カバー２３０は、光が放出される部分の形状が半円筒状をなし、中央部２３２が発光面２３１に対向するようにしてある。カバー２３０の光が放出される部分の形状が半球状をなし、カバー２３０の中央部２３２が発光面２３１に対向させてあるので、発光面２３１と垂直な方向（光軸方向とも称する）及び略光軸方向に発せられた光の一部は、カバー２３０の中央部２３２の内側面で反射して、ＬＥＤモジュール２０３からの離隔寸法が短い位置にある反射面２２２に入射する。これにより、カバー２３０で反射された特に強い光を反射面２２２で横方向に反射させることができ、カバー２３０の横方向（発光面２３１に略平行な横方向）から放射される光の量を多くすることができる。
【００５９】
上述の実施の形態１、２にあっては、反射部材の反射面に上述のような傾斜角を設けるだけで、カバーの横方向の光量を多くすることができる。この結果、例えば、光源からの光の方向を所望の方向へ導くための光学部材、例えば、レンズ等の特別な部品を備える必要がないので、レンズ等を用いることによる光束損失がなく、またレンズ等の高価な部品によるコスト上昇もなく、レンズ等の収容スペースの確保の必要性もない。
【００６０】
上述の実施の形態１、２では、ＬＥＤプレートに凸状の段差をなす凸部を設ける構成であったが、これに限定されるものではなく、凸状の段差をなす凸部を具備しなくてもよい。しかし、凸状の段差をなす凸部を設けることにより、ＬＥＤモジュール近傍の反射面の傾斜角αをより大きくすることができるので、カバーの横方向への光量を多くすることができる点で凸部を設けることが好ましい。
【００６１】
上述の実施の形態では、光源としてＬＥＤモジュールを備える照明装置について説明したが、光源はＬＥＤモジュールに限定されるものではなく、面発光を有する発光素子であれば、ＥＬ（Electro Luminescence）などでもよい。
【符号の説明】
【００６２】
２、２０２  反射部材
３、２０３  ＬＥＤモジュール（光源）
４、２０４  ＬＥＤプレート（装着部）
２２、２２２  反射面
３０、２３０  カバー
３１、２３１  発光面
３２、２３２  中央部
４１  、２４１  凸部
【図１】
0005854825.tif 000002
【図２】
0005854825.tif 000003
【図３】
0005854825.tif 000004
【図４】
0005854825.tif 000005
【図５】
0005854825.tif 000006
【図６】
0005854825.tif 000007
【図７】
0005854825.tif 000008